(57)【要約】      （修正有）【課題】 各種の防犯対象物に取り付け、住宅などの窓用簡易防犯警報装置となり更には、緊急用呼び出し手段として使用できる簡易警報装置を提供する。【解決手段】ひも２を巻き取るリール３と、リールに巻き取る力を与える渦巻きばね４と、リールの周辺に配置されて且つひもの引き出し或いは巻きばねによる引き込みによりリールが回転するときに警報作動スイッチを蹴るスイッチ入れ突起手段８と、ひもの引き出し或いは巻きばねによる引き込みによりスイッチ入れ突起手段がスイッチを蹴ったときに入る警報作動スイッチと、スイッチにより作動する警報音発生装置１６と、警報音発生装置用動力を与える電池６とを収容したケーシング１から成り、ひもの自由端には窓枠に固定できる固定手段７を備えると共にこの装置ケーシング自体を取付ける取付け手段９を備える。【選択図】  図１
2007080239.tif 000002
【特許請求の範囲】
【請求項１】
ひもを巻き取るリールと、リールに巻き取る力を与える渦巻きばねと、リールの周辺に配置されて且つひもの引き出し或いは巻きばねによる引き込みによりリールが回転するときにスイッチを蹴るスイッチ入れ突起手段と、ひもの引き出し或いは巻きばねによる引き込みによりスイッチ入れ突起手段がスイッチを蹴ったときに入る警報作動スイッチと、スイッチ作動により警報する警報音発生装置と、警報音発生装置用動力を与える電池とを収容したケーシングから成り、ひもの自由端には所定箇所に固定できる固定手段を備えると共にこの装置ケーシング自体を取付ける取付け手段を備えることを特徴とする警報装置。
【請求項２】
この警報装置が防犯対象物と設置箇所とに取付け設置されて、防犯対象物の移動に伴うひもの引き出し或いは巻きばねによる引き込みによってスイッチ入れ突起手段がスイッチを蹴って警報作動スイッチの作動によりする警報音が発生されることを特徴とする請求項１に記載の警報装置。
【請求項３】
警報作動スイッチの回路をオン・オフする設定用スイッチが設けられていることを特徴とする請求項１或いは２に記載の警報装置。
【請求項４】
固定手段が吸着盤、洗濯バサミ、或いはピンとピン受けなどの簡易固定手段であることをことを特徴とする請求項１乃至３のいずれか一項にに記載の警報装置。
【請求項５】
リールを作動させる引きひもは引き出す可能な長さの半分程度から着色されていることをことを特徴とする請求項１乃至４のいずれか一項に記載の警報装置。
【請求項６】
装置ケーシングの裏面の中心に係合溝穴を設け、取付板の中心に設けられた割りピン軸にその係合溝穴を係合させて取付板に装置ケーシングを設置しているので、装置ケーシングはこのピン軸を中心に自由回転できることを特徴とする請求項１乃至５のいずれか一項に記載の警報装置。
【請求項７】
リール作動用の引きひもは引く位置にかかわらずに常に警報装置ケーシングから鉛直方向に引き出されることを特徴とする請求項６に記載の警報装置。
【請求項８】
警報装置本体が取付板に着脱可能に取り付けられていることを特徴とする請求項６或いは７に記載の警報装置。
【請求項９】
警報装置本体とひもの自由端に取り付けた固定手段とを病室等の部屋内に固定してそのひもにリング等を介して別の引きひも体を病人や老人などが操作できる位置へたらし、病人や老人などの緊急警報手段として使用することを特徴とする請求項１乃至８のいずれか一項に記載の警報装置の使用方法。
【発明の詳細な説明】
【技術分野】
【０００１】
この発明は、防犯対象物や家屋の窓等の開閉手段に簡単に設置できる簡易警報装置に関し、特に防犯対象物の移動や住宅などの窓からの侵入を検知する簡易防犯警報装置及び簡易警報装置の使用方法に関する。
【背景技術】
【０００２】
今日は、住宅用の防犯システムが普及してきており、この住宅用の防犯システムとして窓から室内へ侵入する者を検知する窓用防犯センサーが使用されている。従来の窓用防犯センサーとしては、マグネットとこのマグネットの接近、離反により動作するリードスイッチとを組合せて、侵入者が窓を開くと、リードスイッチが動作して検知信号を出力する開閉検知型のものがあり（例えば、特許文献１を参照）、また、アームの一端を窓枠等の一方に回転可能に保持し、アームの他端にはリードスイッチが配置されて、窓枠等の他方に固定されたホルダーに着脱可能に係止しておき、侵入者の体の一部がアームに触れると、このアームの他端がホルダーから離脱し、リードスイッチの動作状態が変化して検出信号を出力するアーム他端離脱検知型のものがある（例えば、特許文献２を参照）。      
【０００３】
これら従来技術は、設備が大がかりであったり、窓への取付け作業が複雑であったり、取付け設置時間やその費用がかかるものであったので、素人が簡単且つ容易に設置でき、その上に費用も安価に済むものを望まれていた。
【０００４】
現在、一般的に市販されている簡易警報機は、ドアや窓に直接取り付けます。音や振動を検知し、発報させる方式が多くなっています。音は雑音で、振動は風などにより情報を捕らえ、誤報を発することが問題になっております。また、引き違いドアなどは、ドア間の間隙が狭く薄型が求められ、この問題に対して工夫が必要である。  
【０００５】
また、最近は老人介護における老人による或いは病院における病人による緊急用呼出し手段として警報音を発する装置が使われている。
【特許文献１】特開２００３−２８１６３６号公報
【特許文献２】特開平  ７−１１４６７５号公報
【発明の開示】
【発明が解決しようとする課題】
【０００６】
この発明は、防犯対象物や窓等の必要な箇所に簡単且つ容易に取り付け設置でき、製造コスト及び取り付けコストを低減することができる住宅などの簡易防犯警報装置を提供し、更には、緊急用呼び出し手段として使用できる簡易警報装置を提供することである。
【課題を解決するための手段】
【０００７】
この発明の課題は、ひもを巻き取るリールと、リールに巻き取る力を与える渦巻きばねと、リールの周辺に配置されて且つひもの引き出し或いは巻きばねによる引き込みによりリールが回転するときにスイッチを蹴るスイッチ入れ突起手段と、ひもの引き出し或いは巻きばねによる引き込みによりスイッチ入れ突起手段がスイッチを蹴ったときに入るスイッチと、スイッチオンにより作動する警報音発生装置と、警報音発生装置用動力を与える電池とを収容したケーシングから成り、ひもの自由端には所定箇所に固定できる固定手段を備えると共にこの装置ケーシング自体を取付ける取付け手段を備える防犯警報装置により解決される。
【０００８】
この発明の窓用防犯警報装置は、防犯対象物と設置箇所とに取付け設置されて、防犯対象物の移動に伴うひもの引き出し或いは巻きばねによる引き込みによってスイッチ入れ突起手段がスイッチを蹴ってスイッチオン作動によりする警報音が発生されることを特徴とする。
【０００９】
この発明の警報装置は、装置ケーシングの裏面の中心に係合溝穴を設け、取付板の中心に設けられた割りピン軸にその係合溝穴を係合させて取付板に装置ケーシングを設置しているので、装置ケーシングはこのピン軸を中心に自由回転できることを特徴とする。さらにその構成によりリール作動用の引きひもは引く位置にかかわらずに常に警報装置ケーシングから鉛直方向に引き出され、且つ警報装置本体が取付板に着脱可能に取り付けられている。
【００１０】
この発明の警報装置の使用方法は、警報装置本体とひもの自由端に取り付けた固定手段とを病室等の部屋内に固定してそのひもにリング等を介して別の引きひも体を病人や老人などが操作できる位置へたらし、病人や老人などの緊急警報手段として使用することを特徴とする。
【発明の効果】
【００１１】
この発明の防犯警報装置を窓に用いる場合には、この警報装置のケーシングを一方の窓枠に取り付けて、他方の窓枠にこの警報装置のひも自由端の固定手段を取り付けて設置でき、誰でもが簡単且つ容易に短時間に設置できる。これにより、住宅の窓等からの侵入者を検知して警報を発することができるので、住宅用の防犯システムが簡易に形成されることができる。
【００１２】
この発明の警報装置では、極めて簡単な構造の防犯警報装置であって、安価であり、その防犯対象物、例えば絵画、鞄、洗濯物、自転車などにも広く使用でき、その取付け作業も防犯対象物に極めて容易に行なえて、総てが費用のかからない防犯システムを提供できる。
【００１３】
この発明の警報装置では、設定用スイッチと警報作動スイッチとが直列にオンになったときに警報を発する構成を備えるので、警戒時には電池を消耗させない利点がある。リールを作動させる引きひもを引き出す可能な長さの半分程度に着色されていることから、引き出し限界量を知ることができる。
【００１４】
この発明の警報装置では、取付板に装置ケーシングを設置しているので、装置ケーシングが３６０度自由に回転できるから、警報装置のどのような方向に固定手段を取り付けても作動できる。この自由回転できる構成によって、引きひもをあらゆる方向から引くことができるので、警報装置の設置箇所からあらゆる方向に固定手段を設置できる。
【００１５】
この発明では、警報装置本体が取付板に着脱可能に取り付けられているから、この取付板１８を取り付け箇所に設置したままにして、その箇所から取り外して自転車等の他の場所に設置することも、携帯することも可能である。
【００１６】
更には、この発明の警報装置は、老人介護或いは病院における病人による緊急用呼出し手段等の警報音を発する装置として使用することができる。
【発明を実施するための最良の形態】
【００１７】
次に、この発明は図面に基づいて最良の実施形態を詳細に説明する。図１は、この発明の防犯警報装置であって、図１ａはこの発明の防犯警報装置の分解斜視図であり、図１ｂはこの発明の防犯警報装置の取り付け前の斜視図である。
【実施例１】
【００１８】
この発明の防犯警報装置は、ひも２を巻き取るリール３と、リール３に巻き取る力を与える渦巻きばね４と、リール３の周辺に配置されて且つひも２の引き出し或いは巻きばね４による引き込みによりリール３が回転するときにスイッチ５を蹴るスイッチ入れ突起手段８と、ひも２の引き出し或いは巻きばねによる引き込みによりスイッチ入れ突起手段８がスイッチ５を蹴ったときに入る警報作動スイッチ５と、スイッチ５により作動する警報音発生装置１６と、警報ブザー１６等の警報音発生装置に動力を与える電池６とを収容したケーシング１から成り、ひも２の自由端には窓枠に固定できる固定手段７を備える。
【００１９】
このひも２は引き出し可能な長さ量の半分程度から赤や黄などの目立つ色を着色させてあるので、引き出し限界を知ることができる。また、このスイッチ入れ突起手段８は機械的手段であるが、これを電気・磁気的手段或いは光学的手段によりリール３が或る角度を回転するときに警報スイッチ５を作動されるものとしても良い。この突起手段８はリール３の周辺に複数個を配置されることもできる。この突起手段８はリール３が左右のいずれの回転方向に回転しても作動される。
【００２０】
このケーシング１はケーシング収容部１．１とケーシング蓋部１．２とから成り、このケーシング収容部１．１には、スイッチ５のオンにより作動する警報音発生装置１６が設けられている。このケーシング蓋部１．２は電池６を挿入できる挿入窓１２とブザー設置孔１３を備えてあり、この挿入窓１２には電池収納部蓋１４を取付け、ブザー設置孔１３には警報ブザー１６を取付ける。この固定手段７は、吸着盤あるいは両面接着テープを貼付けた吸着盤、洗濯バサミ、或いはピンとピン受けなど種々の適当な固定手段を用いることができる。
【００２１】
さらに、この防犯装置は、そのケーシング１に取付け手段９を備えていて、このケーシング自体を適切な箇所に取り付けることができる。図１には、この取付け手段９は孔開き突起部とピンとを開示するけれども、安価な適宜手段であれば良い。ケーシング収容部１．１の上壁に設けられた警報作動スイッチ５の回路をオン・オフする設定用スイッチ１５が設けられ、この設定用スイッチ１５はオフの状態においてこの防犯警報装置を設置して、設置の後にオンに設定する。この状態、即ち警戒中では、警報装置の内部の警報作動スイッチ５はオフになっているために、電池の消耗がない。言い換えると、設定用スイッチ１５と警報作動スイッチ５とが直列にオンになったときに警報を発するので、警戒時には電池を消耗させない。これら警報装置を防犯対象箇所に設置した後に、スイッチ１５が作動するように設定しておくのが一般であるが、タイマー（遅延回路）を備えて、一定時間後に作動するようにも設定することができる。
【００２２】
図２は、住宅の窓枠に窓用防犯警報としてこの発明の防犯警報装置を取付けた態様を開示し、図２ａは窓枠に窓用防犯警報装置を取付けた正面図を示し、図２ｂは窓枠に窓用防犯警報装置を取付けた側面図を示す。この発明の窓用防犯警報装置は一方の窓枠１０にケーシング１を取付けて、他方の窓枠１１にひも２の自由端に固定した固定手段を取付けて設置するものである。
【００２３】
それ故に、侵入者が窓を開閉して侵入しようとしたならば、接着テープ等の固定手段７とケーシング取付け手段９とにより窓枠１１と１０に防犯警報装置を固定しているために、窓の開放により窓枠１１から離脱しないひも２がゆるみ、その緩んだひもをリール３が巻き取るので、このように、ひも２の移動によってリール３が回転するときに突起手段８がスイッチ５を蹴ってるスイッチ５が入いり、警報音発生装置は電池６から電気を受けて作動して警報を発する。なお、この警報音発生装置はひもの引き出し或いは巻きばねによる引き込みによりリール３が回転するときに突起手段８がスイッチ５を蹴ってスイッチを入れて警報ブザー１６等が警報音を発生させる。この装置は。窓枠１０又は１１のどちらの窓が動いても、警報を発します。つまり、一台の警報装置で二枚の窓を監視できることになるという利点がある。
【実施例２】
【００２４】
図３は、各種の防犯対象物に設置した例を開示し、ａは自転車と塀等の建物の間にこの防犯警報装置を設置した場合を示し、ｂは絵画と壁の間にこの防犯警報装置を設置した場合を示し、ｃはカーテン或いはドアと壁の間にこの防犯警報装置を設置した場合を示し、ｄはブランインドと窓枠の間にこの防犯警報装置を設置した場合を示し、ｅは洗濯物と支柱などの間にこの防犯警報装置を設置した場合を示す。この発明の防犯警報装置は、極めて簡単な構造の防犯警報装置であって、安価であり、その防犯対象物、例えば絵画、鞄、洗濯物、自転車などもと広く使用でき、その取付け作業も防犯対象物に極めて容易に行なえる。
【実施例３】
【００２５】
図４は、この発明の警報装置のケーシング１を取付板１８に取り付ける態様を開示し、この発明の警報装置は、そのケーシング１の裏面の中心に係合溝穴２１を設け、取付板１８の中心に設けられた割りピン軸１９にその係合溝穴２１を係合させて取付板１８に装置ケーシング１を設置しているので、装置ケーシング１はこのピン軸１９を中心に自由回転できる。このように装置ケーシング１がピン軸１９を中心に自由回転するから、リール作動用の引きひも２は人の引く位置に応じて回転して、常に警報装置ケーシング１から鉛直方向に引き出されることができる。取付板１８はその底面に両面接着テープ２０を取り付けて、警報装置を設置したい箇所に取り付けできる。この警報装置の図４に開示された自由回転できるケーシング１は、図１に開示された回転する構成を備えないケーシング１とはちがって、点対称な形状とするのが好ましい。
【００２６】
また、取付板１８の割りピン軸１９にはスリットが入っているからその割れが弾性作用となって、ケーシング１が係合溝穴２１と割りピン軸１９との係合手段によって取付板１８から着脱するのを可能としている。従って、この取付板１８を取り付け箇所に設置したままにして、その箇所から取り外して自転車等の他の場所に設置することも、携帯することも可能である。
【００２７】
図５は、この発明の警報装置を病人や老人などの緊急警報手段として使用する使用方法を開示し、ピン等の取付け手段１７により警報装置本体１を部屋内の壁などに固定し、緊急の呼び出しの際に病人や老人などがひも２を引いて警報を発して知らせる。又は、図６のように、ピン等の取付け手段１７により警報装置本体１を、そしてひも２の自由端に取り付けた固定手段７を病室等の部屋内に取付け固定し、その警報作動ひも２にリング２２等を介して別の引きひも体２３を病人３０や老人などが操作できる位置へたらし、病人や老人などの緊急警報手段として使用することもできる。
【００２８】
図６は、適当な使用箇所に取付け固定して作動設定状態となしたこの発明の警報装置１を斜視図で示し、警報装置本体１がピン等の取付け手段１７により適当な使用箇所に固定され、更にひも２の自由端に取り付けた固定手段７も固定し、ひも２にはリング２２等を介して別の引きひも体２３を取り付けてある。この図では、警報作動スイッチ５の回路をオン・オフする設定用スイッチ１５は作動設定状態となっていて、蛍光塗料２４が施されている。このスイッチオン状態は設定用スイッチ１５が本体１から飛び出している状態とこの蛍光塗料２４が現れている状態との二つによって確認できる。
【図面の簡単な説明】
【００２９】
【図１】図１ａはこの発明の防犯警報装置の分解斜視図であり、図ｂ１はこの発明の防犯警報装置の斜視図である。
【図２】図２ａはこの発明の窓用防犯警報装置を窓枠に取付けた正面図を示し、図２ｂは窓枠に窓用防犯警報装置を窓枠に取付けた側面図を示す。
【図３】各種の防犯対象物に設置した例を開示する。
【図４】警報装置のケーシングを取付板に取り付ける態様を開示する。
【図５】この発明の警報装置を病人や老人などの緊急警報手段として使用することを使用方法を開示する。
【図６】適当な使用箇所に取付け固定して作動設定状態となしたこの発明の警報装置の斜視図を示す。
【符号の説明】
【００３０】
１．．．．．ケーシング
１．１．．．ケーシング収容部
１．２．．．ケーシング蓋部
２．．．．．ひも
３．．．．．巻き取りリール
４．．．．．渦巻きばね
５．．．．．警報作動用スイッチ
６．．．．．電池
７．．．．．固定手段
８．．．．．スイッチ入れ突起手段
９．．．．．防犯警報装置の取付け手段
１０．．．．．窓枠
１１．．．．．窓枠
１２．．．．．電池収納窓
１３．．．．．ブザー設置孔
１４．．．．．電池収納部蓋
１５．．．．．設定用スイッチ
１６．．．．．警報ブザー
１７．．．．．ピン等の取付け固定手段
１８．．．．．取付板
１９．．．．．割りピン軸
２０．．．．．両面接着テープ
２１．．．．．溝穴
２２．．．．．リング
２３．．．．．ひも体
３０．．．．．病人や老人
【図１】
2007080239.tif 000003
【図２】
2007080239.tif 000004
【図３】
2007080239.tif 000005
【図４】
2007080239.tif 000006
【図５】
2007080239.tif 000007
【図６】
2007080239.tif 000008
【手続補正書】
【提出日】平成17年11月29日(2005.11.29)
【手続補正１】
【補正対象書類名】明細書
【補正対象項目名】００２７
【補正方法】変更
【補正の内容】
【００２７】
図５は、この発明の警報装置を病人や老人などの緊急警報手段として使用する使用方法を開示し、ピン等の取付け手段１７により警報装置本体１を部屋内の壁などに固定し、緊急の呼び出しの際に病人や老人などがひも体２３を引いて警報を発して知らせる。更に、図６のように、ピン等の取付け手段１７により警報装置本体１を、そしてひも２の自由端に取り付けた固定手段７を病室等の部屋内に取付け固定し、その警報作動ひも２にリング２２等を介して別の引きひも体２３を病人３０や老人などが操作できる位置へたらし、病人や老人などの緊急警報手段として使用することもできる。
【手続補正２】
【補正対象書類名】図面
【補正対象項目名】図５
【補正方法】変更
【補正の内容】
【図５】
2007080239.tif 000009
【手続補正書】
【提出日】平成18年2月21日(2006.2.21)
【手続補正１】
【補正対象書類名】特許請求の範囲
【補正対象項目名】全文
【補正方法】変更
【補正の内容】
【特許請求の範囲】
【請求項１】
ひもを巻き取るリールと、リールに巻き取る力を与える渦巻きばねと、リールの周辺に配置されて且つひもの引き出し或いは巻きばねによる引き込みによりリールが回転するときにスイッチを蹴るスイッチ入れ突起手段と、ひもの引き出し或いは巻きばねによる引き込みによりスイッチ入れ突起手段がスイッチを蹴ったときに入る警報作動スイッチと、スイッチ作動により警報する警報音発生装置と、警報音発生装置用動力を与える電池とを収容したケーシングから成り、ひもの自由端には所定箇所に固定できる固定手段を備えると共にこの装置ケーシング自体を取付ける取付け手段を備え、装置ケーシングの裏面の中心に係合溝穴を設け、取付板の中心に設けられた割りピン軸にその係合溝穴を係合させて取付板に装置ケーシングを設置しているので、装置ケーシングはこのピン軸を中心に自由回転できると共に警報装置本体が取付板に着脱可能に取り付けられていることを特徴とする警報装置。
【請求項２】
この警報装置が防犯対象物と設置箇所とに取付け設置されて、防犯対象物の移動に伴うひもの引き出し或いは巻きばねによる引き込みによってスイッチ入れ突起手段がスイッチを蹴って警報作動スイッチの作動によりする警報音が発生されることを特徴とする請求項１に記載の警報装置。
【請求項３】
警報作動スイッチの回路をオン・オフする設定用スイッチが設けられていることを特徴とする請求項１或いは２に記載の警報装置。
【請求項４】
固定手段が吸着盤、洗濯バサミ、或いはピンとピン受けなどの簡易固定手段であることをことを特徴とする請求項１乃至３のいずれか一項にに記載の警報装置。
【請求項５】
リールを作動させる引きひもは引き出す可能な長さの半分程度から着色されていることをことを特徴とする請求項１乃至４のいずれか一項に記載の警報装置。
【請求項６】
リール作動用の引きひもは引く位置にかかわらずに常に警報装置ケーシングから鉛直方向に引き出されることを特徴とする請求項１乃至５のいずれか一項に記載の警報装置。
【請求項７】
警報装置本体とひもの自由端に取り付けた固定手段とを病室等の部屋内に固定してそのひもにリング等を介して別の引きひも体を病人や老人などが操作できる位置へたらし、病人や老人などの緊急警報手段として使用することを特徴とする請求項１乃至６のいずれか一項に記載の警報装置の使用方法。
【手続補正２】
【補正対象書類名】明細書
【補正対象項目名】０００７
【補正方法】変更
【補正の内容】
【０００７】
この発明の課題は、ひもを巻き取るリールと、リールに巻き取る力を与える渦巻きばねと、リールの周辺に配置されて且つひもの引き出し或いは巻きばねによる引き込みによりリールが回転するときにスイッチを蹴るスイッチ入れ突起手段と、ひもの引き出し或いは巻きばねによる引き込みによりスイッチ入れ突起手段がスイッチを蹴ったときに入るスイッチと、スイッチオンにより作動する警報音発生装置と、警報音発生装置用動力を与える電池とを収容したケーシングから成り、ひもの自由端には所定箇所に固定できる固定手段を備えると共にこの装置ケーシング自体を取付ける取付け手段を備え、装置ケーシングの裏面の中心に係合溝穴を設け、取付板の中心に設けられた割りピン軸にその係合溝穴を係合させて取付板に装置ケーシングを設置しているので、装置ケーシングはこのピン軸を中心に自由回転できると共に警報装置本体が取付板に着脱可能に取り付けられている防犯警報装置により解決される。